(57)【要約】【課題】流入した土砂等の堆積物を洗浄・除去して貯水槽のメンテナンスを容易にすることが可能な貯水装置を提供する。  【解決手段】滞水材２０を積層してなる積層体２を貯水槽Ａ内に配置し、貯水槽Ａ上面を積層体２で塞いで有効利用できるようになした貯水装置１において、積層体２の貯水槽Ａ内の下部に、堆積物を洗浄・除去するための洗浄用空間３を設ける。【選択図】図２
2005351079.tif 000002
【特許請求の範囲】
【請求項１】
滞水材を積層してなる積層体を貯水槽内に配置し、貯水槽上面をこの積層体で塞いで有効利用できるようになした貯水装置において、
上記積層体の貯水槽内の下部に、堆積物を洗浄・除去するための洗浄用空間が設けられたことを特徴とする貯水装置。
【請求項２】
貯水槽内の下部に設けた上記洗浄用空間は、支持体によって積層体を支持することにより形成してなることを特徴とする請求項１に記載の貯水装置。
【発明の詳細な説明】
【技術分野】
【０００１】
本発明は、貯水装置に関する。
【背景技術】
【０００２】
雨水を貯留して、雨水の流出をコントロールするための調整池が、造成地や校庭、駐車場などに設けられている。この調整池として構築される貯水槽においては、雨水と一緒に流入してくる土砂やごみ等の堆積物を取り除いて調整池のメンテナンスを行なうことが重要である。
【０００３】
オープン式調整池やコンクリート地下式調整池では、重機が調整池の中に入って、定期的に土砂を搬出することができ、メンテナンスは容易である。しかし、オープン式調整池では、調整池を設けた土地を他に有効利用することができない。また、コンクリート地下式調整池では、コンクリートで形成されるために、施工が大掛かりになるとともにコストが嵩む。
【０００４】
そこで、地下に滞水材を埋設して雨水を貯留するタイプの貯水槽が、貯水効率がよく、施工が簡単であることから用いられている。
【０００５】
しかし、この地下に滞水材を埋設するタイプの貯水槽では、滞水材を埋設した後に重機を入れることはできないので、貯水槽内を清掃することは容易ではない。このため、雨水が貯水槽内に流入する前の段階にて沈砂槽を設置したり、滞水材の下部にＵ字溝を設け、この溝をメンテナンスすること等が提案されていた。
【発明の開示】
【発明が解決しようとする課題】
【０００６】
上記した地下に滞水材を埋設するタイプの貯水槽において、雨水が貯水槽内に流入する前の段階にて沈砂槽を設置した場合は、沈砂槽を設置するための土地を確保しなければならず、さらに設置のための手間もかかる。また、滞水材の下部にＵ字溝を設け、この溝をメンテナンスする場合は、Ｕ字溝を設けるための手間がかかるとともに、Ｕ字溝内に堆積した土砂等しか洗浄・除去することができず、効率が悪いといった難点がある。
【０００７】
本発明はこうした問題点を解決するためになされたもので、滞水材を積層してなる積層体を用いた貯水装置において、流入した土砂等の堆積物を洗浄・除去して、貯水槽のメンテナンスを容易にすることが可能な貯水装置を提供することを目的とする。
【課題を解決するための手段】
【０００８】
上記の目的を達成するため、本発明は、滞水材を積層してなる積層体を貯水槽内に配置し、貯水槽上面をこの積層体で塞いで有効利用できるようになした貯水装置において、上記積層体の貯水槽内の下部に、堆積物を洗浄・除去するための洗浄用空間が設けられたことを特徴とする。
【０００９】
この発明によれば、積層体の下部に形成された洗浄用空間に溜まった土砂等の堆積物を容易に洗浄・除去することができる。
【００１０】
本発明は、貯水槽内の下部に設けた上記洗浄用空間は、支持体によって積層体を支持することにより形成してなることを特徴とする。
【００１１】
この発明によれば、支持体によって、洗浄用空間を形成することができる。
【発明の効果】
【００１２】
以上に説明したとおり、本発明の貯水装置は、滞水材を積層してなる積層体の下部に、堆積物を洗浄・除去するための洗浄用空間を設けたので、この洗浄用空間に溜まった土砂等の堆積物を容易に洗浄・除去することができ、貯水槽のメンテナンスを容易にすることができる。
【００１３】
また、貯水槽内の下部に設けた上記洗浄用空間は、支持体によって積層体を支持することにより形成しているので、支持体によって、簡単に洗浄用空間を形成することができる。したがって、洗浄用空間を容易に設けることができる。
【発明を実施するための最良の形態】
【００１４】
以下、本発明の貯水装置１の実施の形態について図を参照して説明する。
【００１５】
図１は、本実施の形態に係る貯水装置１の一対の支持体４を示す斜視図、図２は、貯水装置１の構造の概略を示す図、図３は、滞水材２０の一例を示す分解斜視図である。
【００１６】
本実施の形態に係る貯水装置１は、貯水槽Ａ内に滞水材２０を積層してなる積層体２を配置し、貯水槽Ａ上面をこの積層体２で塞いで有効利用できるようになしたものであって、積層体２の貯水槽Ａ内の下部に、堆積物を洗浄・除去するための洗浄用空間３が設けられたものである。
【００１７】
ここで、貯水槽Ａは、地面を掘削して凹部を形成したものを想定しているが、これに限らず、例えばこの凹部にプラスチックで成型したプールを嵌め込んだものでもよく、また、凹部をコンクリートで囲ったものであってもよい。
【００１８】
積層体２は、地下に埋設されて雨水を効率良く貯留するとともに、この埋設された部分を補強し周囲の地表面との段差を除去して地表面を有効利用するためのものである。この積層体２は、滞水材２０が積層されてなっている。
【００１９】
滞水材２０は、大きな空隙率を有し貯水効率の高い構造物であって、一例を図３に示している。この例は、特許第２９０１９５９号公報に掲載された積層構造物である。この滞水材２０は、平板状のプラスチック成形体であって、断面台形状の山形部２１と山形部２１の間に形成された谷形部２２とが交互に連続する波形に成形され、山形部２１と谷形部２２とが係合して複数の滞水材２０が積層されるようになされたものである。山形部２１の山頂部２１ａには、主として導水のための貫通孔２１０が設けられており、高い透水性を得るように図られている。この滞水材２０を積層する場合は、各段ごとに滞水材２０の向きが９０度異なるように組み合わせて積み上げ、滞水材２０同士の結合を確実にするとともに、効率の良い貯水空間を確保するように図られている。なお、滞水材２０は、上記
した積層構造物に限られるものではない。
【００２０】
洗浄用空間３は、貯水装置１に流れ込んだ土砂等の堆積物を洗浄・除去するためのものであって、支持体４によって積層体２を支持することにより形成してなる。
【００２１】
本実施の形態では、支持体４は、基板４０の一方の面に複数本の支柱４１が間隔をおいて突設されてなっており、一対の支持体４が対向して配置されることにより、洗浄用空間３が形成されている。
【００２２】
基板４０は、プラスチック等の素材からなる剛性を有する平板である。この基板４０には、複数の透水孔４００が形成されており、透水性を確保して上からの雨水等を通過するようになされている。
【００２３】
支柱４１は、基板４０と同様な素材からなる角柱状体が、基板４０の一方の面上に所定の間隔をおいて複数本突設されたものである。なお、支柱４１の形状は、上記した角柱状に限られるものではなく、例えば円柱状であってもよい。
【００２４】
上記説明したように構成された一対の支持体４を、互いの支柱４１の先端面４１ａ同士が接するように対向して設置することにより、これら支柱４１によって離間された一対の基板４０同士の間隙に洗浄用空間３が形成される（図１、図２参照）。
【００２５】
なお、支持体４は、洗浄用空間３を形成することができるものであれば、その構造、形体は限定するものではない。例えば、一対の支持体４の支柱４１の先端面４１ａを互いの基板４０に接するように対向して組み合わせてもよいし、１つの支持体４を支柱４１の先端面４１ａが貯水槽Ａの底部に接するように配置してもよい。
【００２６】
次に、本実施の形態の貯水装置１の設置方法について、図２を参照しながら説明する。
【００２７】
まず、遮水処理が施された貯水槽Ａの底部に、一方の支持体４を基板４０を下にして支柱４１が上方に向かって突出する向きに配置する。
【００２８】
次いで、この支持体４の上に、他方の支持体４を、互いの支柱４１の先端面４１ａ同士が接するように対向して載置し、洗浄用空間３を形成する。
【００２９】
続いて、他方の支持体４の基板４０の上に、滞水材２０を積層させて、積層体２を載置することにより、貯水装置１を貯水槽Ａに設置する。
【００３０】
次に、この貯水装置１を使用して土砂等の堆積物を洗浄・除去する方法について、図２を参照しながら説明する。
【００３１】
貯水槽Ａの側方にマンホールＢを設け、このマンホールＢの貯水装置１の洗浄用空間３に対応する位置に、洗浄用空間３に向かって水流を噴射してジェット洗浄を行なう洗浄装置Ｃ（詳細は図示せず）を設ける。
【００３２】
貯水槽Ａの上部から土砂等とともに流れ込んできた雨水は、下方に向かって流れていき、土砂等が下部の洗浄用空間３に溜まっていく。ある程度、土砂等が洗浄用空間３に堆積した後、洗浄装置Ｃから水流を噴射すると、この堆積された土砂等は一掃されて、貯水槽Ａの排水口等から除去することができ、貯水槽Ａのメンテナンスをすることができる。
【図面の簡単な説明】
【００３３】
【図１】本発明の実施の形態における一対の支持体を示す斜視図である。
【図２】本発明の実施の形態における貯水装置の構造の概略を示す図である。
【図３】本発明の実施の形態における滞水材の一例を示す分解斜視図である。
【符号の説明】
【００３４】
１    貯水装置
２    積層体
２０  滞水材
３    洗浄用空間
４    支持体
４０  基板
４１  支柱
Ａ    貯水槽
【図１】
2005351079.tif 000003
【図２】
2005351079.tif 000004
【図３】
2005351079.tif 000005